(57)【特許請求の範囲】
【請求項１】
レンズ部の周囲に配置されるオートフォーカス用コイル部と、前記オートフォーカス用コイル部に対して径方向に離間して配置されるオートフォーカス用マグネット部とを備え、前記オートフォーカス用コイル部と前記オートフォーカス用マグネット部とで構成されるボイスコイルモーターの駆動力を利用して、前記オートフォーカス用マグネット部を含むオートフォーカス固定部に対して前記オートフォーカス用コイル部を含むオートフォーカス可動部を光軸方向に移動させることにより自動的にピント合わせを行うレンズ駆動装置であって、
前記オートフォーカス可動部は、前記オートフォーカス用コイル部を保持するレンズホルダーを有し、
前記レンズホルダーは、ホルダー外周から径方向内側に凹む切欠部と、前記切欠部から径方向外側に突出し前記オートフォーカス用コイル部の端部を絡げる絡げ部を有し、
前記絡げ部の先端は、前記ホルダー外周よりも径方向内側に位置することを特徴とするレンズ駆動装置。
【請求項２】
前記オートフォーカス可動部と前記オートフォーカス固定部とを弾性的に接続する板状の弾性支持部材を備え、
前記弾性支持部材は、前記オートフォーカス用コイル部の前記絡げ部に絡げられた部分とはんだ付けされるはんだ付け部を有し、
前記オートフォーカス用コイル部と前記弾性支持部材がはんだ付けによって電気的に接続され、前記弾性支持部材を介して前記オートフォーカス用コイル部に給電が行われることを特徴とする請求項１に記載のレンズ駆動装置。
【請求項３】
前記オートフォーカス固定部は、前記レンズホルダーの光軸方向結像側に離間して配置されるベース部材を有し、
前記弾性支持部材は、前記レンズホルダーと前記ベース部材を接続することを特徴とする請求項２に記載のレンズ駆動装置。
【請求項４】
前記絡げ部の径方向に沿う断面形状は、先端側から基端側に向けて縮径するテーパー形状であることを特徴とする請求項１から３のいずれか一項に記載のレンズ駆動装置。
【請求項５】
前記絡げ部の径方向に沿う断面形状は、先端側から中央に向けて縮径し、中央から基端側に向けて拡径するすり鉢形状であることを特徴とする請求項１から３のいずれか一項に記載のレンズ駆動装置。
【請求項６】
請求項１から５のいずれか一項に記載のレンズ駆動装置と、
前記オートフォーカス可動部に装着されるレンズ部と、
前記レンズ部により結像された被写体像を撮像する撮像部と、を備えることを特徴とするカメラモジュール。
【請求項７】
情報機器または輸送機器であるカメラ搭載装置であって、
請求項６に記載のカメラモジュールを備えることを特徴とするカメラ搭載装置。
【発明の詳細な説明】
【技術分野】
【０００１】
本発明は、オートフォーカス用のレンズ駆動装置、オートフォーカス機能を有するカメラモジュール、及びカメラ搭載装置に関する。
【背景技術】
【０００２】
一般に、スマートフォン等の携帯端末には、小型のカメラモジュールが搭載されている。このようなカメラモジュールには、被写体を撮影するときのピント合わせを自動的に行うオートフォーカス機能（以下「ＡＦ機能」と称する、ＡＦ：Auto Focus）を有するレンズ駆動装置が適用される。
【０００３】
オートフォーカス用のレンズ駆動装置（以下「ＡＦ用レンズ駆動装置」と称する）は、例えばレンズ部の周囲に配置されるオートフォーカス用コイル部（以下「ＡＦ用コイル部」と称する）と、ＡＦ用コイル部に対して径方向に離間して配置されるオートフォーカス用マグネット部（以下「ＡＦ用マグネット部」と称する）とを有する。ＡＦ用コイル部とＡＦ用マグネット部とで構成されるボイスコイルモーターの駆動力を利用して、ＡＦ用マグネット部を含むオートフォーカス固定部（以下「ＡＦ固定部」と称する）に対してレンズ部及びＡＦ用コイル部を含むオートフォーカス可動部（以下「ＡＦ可動部」と称する）を光軸方向に移動させることにより、自動的にピント合わせが行われる（例えば特許文献１）。
【０００４】
ＡＦ可動部が、レンズ部を収容するとともに、外周面にＡＦ用コイル部が配置されるレンズホルダーを有する場合、レンズホルダーに、ＡＦ用コイル部の端部を絡げるための絡げ部が設けられる。この絡げ部を、レンズ駆動装置の高さ方向（光軸方向）に突出して形成すると、レンズホルダーの全高が高くなり、レンズ駆動装置の低背化を阻害する要因となる。また、ＡＦ固定部が、レンズホルダーから光軸方向結像側に離間して配置されるベース部材を有する場合、絡げ部を光軸方向結像側に突出させて形成すると、レンズホルダーとベース部材との間で適切な離間距離を確保するために、やはりレンズ駆動装置の低背化が阻害される。そこで、従来は、絡げ部を径方向外側に突出させて形成することにより、レンズ駆動装置の低背化が図られている（例えば特許文献２）。
【先行技術文献】
【特許文献】
【０００５】
【特許文献１】特開２０１３−２１０５５０号公報
【特許文献２】特開２０１１−８５６８２号公報
【発明の概要】
【発明が解決しようとする課題】
【０００６】
しかしながら、特許文献２に記載のレンズ駆動装置のように、絡げ部がレンズホルダーのホルダー外周よりも径方向外側に突出している場合、絡げ部の配置スペースを確保する必要があるために省スペース化が阻害され、落下等の外部衝撃にも弱くなる。
【０００７】
本発明の目的は、省スペース化を図ることができるとともに、耐衝撃性に優れるレンズ駆動装置、これを備えたカメラモジュール、及びカメラ搭載装置を提供することである。
【課題を解決するための手段】
【０００８】
本発明に係るレンズ駆動装置は、レンズ部の周囲に配置されるオートフォーカス用コイル部と、前記オートフォーカス用コイル部に対して径方向に離間して配置されるオートフォーカス用マグネット部とを備え、前記オートフォーカス用コイル部と前記オートフォーカス用マグネット部とで構成されるボイスコイルモーターの駆動力を利用して、前記オートフォーカス用マグネット部を含むオートフォーカス固定部に対して前記オートフォーカス用コイル部を含むオートフォーカス可動部を光軸方向に移動させることにより自動的にピント合わせを行うレンズ駆動装置であって、
前記オートフォーカス可動部は、前記オートフォーカス用コイル部を保持するレンズホルダーを有し、
前記レンズホルダーは、ホルダー外周から径方向内側に凹む切欠部と、前記切欠部から径方向外側に突出し前記オートフォーカス用コイル部の端部を絡げる絡げ部を有し、
前記絡げ部の先端は、前記ホルダー外周よりも径方向内側に位置することを特徴とする。
【０００９】
本発明に係るカメラモジュールは、上記のレンズ駆動装置と、
前記オートフォーカス可動部に装着されるレンズ部と、
前記レンズ部により結像された被写体像を撮像する撮像部と、を備えることを特徴とする。
【００１０】
本発明に係るカメラ搭載装置は、情報機器または輸送機器であるカメラ搭載装置であって、
上記のカメラモジュールを備えることを特徴とする。
【発明の効果】
【００１１】
本発明によれば、オートフォーカス用コイル部の端部が接続される絡げ部が、レンズホルダーのホルダー外周よりも径方向外側に突出しないので、省スペース化を図ることができるとともに、落下等の外部衝撃に対する耐衝撃性が向上する。
【図面の簡単な説明】
【００１２】
【図１】本発明の一実施の形態に係るカメラモジュールを搭載するスマートフォンを示す図である。
【図２】カメラモジュールの外観斜視図である。
【図３】カメラモジュールの分解斜視図である。
【図４】レンズ駆動装置の分解斜視図である。
【図５】レンズホルダー及び下側弾性支持部材の下方斜視図である。
【図６】レンズホルダーの下面図である。
【図７】絡げ部の形状の一例を示す断面図である。
【図８】カメラモジュールを搭載する自動車を示す図である。
【発明を実施するための形態】
【００１３】
以下、本発明の実施の形態を図面に基づいて詳細に説明する。
図１は、本発明の一実施の形態に係るカメラモジュールＡを搭載するスマートフォンＭ（カメラ搭載装置）を示す図である。図１ＡはスマートフォンＭの正面図であり、図１ＢはスマートフォンＭの背面図である。
【００１４】
スマートフォンＭは、例えば背面カメラＯＣとして、カメラモジュールＡを搭載する。カメラモジュールＡは、オートフォーカス機能を備え、被写体を撮影するときのピント合わせを自動的に行う。
【００１５】
図２は、カメラモジュールＡの外観斜視図である。図３は、レンズ駆動装置１の内部構造（カバー１２２を取り外した状態）を示す図である。図２、図３に示すように、本実施の形態では、直交座標系（Ｘ，Ｙ，Ｚ）を使用して説明する。後述する図においても共通の直交座標系（Ｘ，Ｙ，Ｚ）で示している。カメラモジュールＡは、スマートフォンＭで実際に撮影が行われる場合に、Ｘ方向が上下方向（又は左右方向）、Ｙ方向が左右方向（又は上下方向）、Ｚ方向が前後方向となるように搭載される。すなわち、Ｚ方向が光軸方向であり、図中上側（Ｚ方向先端側）が光軸方向受光側（「マクロ位置側）ともいう）、下側（Ｚ方向基端側）が光軸方向結像側（「無限遠位置側」ともいう）となる。
【００１６】
図２に示すように、カメラモジュールＡは、円筒形状のレンズバレルにレンズが収容されてなるレンズ部２及びレンズ駆動装置１等を備える。レンズ部２は、レンズ駆動装置１内のレンズホルダー１１１（図３参照）に、例えば接着により固定される。
【００１７】
レンズ駆動装置１は、ピント合わせのためにレンズ部２を光軸方向に移動させるオートフォーカス用のアクチュエーターである。レンズ駆動装置１は、ＡＦ可動部１１、ＡＦ固定部１２、及び弾性支持部１３を備える。ＡＦ可動部１１は、弾性支持部１３によって、弾性的にＡＦ固定部１２と接続される。
【００１８】
ＡＦ可動部１１は、レンズ部２の周囲に配置されるＡＦ用コイル部１１２を有する。ＡＦ固定部１２は、ＡＦ用コイル部１１２に対して径方向に離間して配置されるマグネット部１２３を有する。レンズ駆動装置１は、ＡＦ用コイル部１１２とマグネット部１２３とで構成されるボイスコイルモーターの駆動力を利用して、ＡＦ固定部１２に対してＡＦ可動部１１を光軸方向に移動させることにより、ピント合わせを行う。すなわち、レンズ駆動装置１には、ムービングコイル方式が採用されている。
【００１９】
図４は、レンズ駆動装置１の分解斜視図である。図５は、レンズホルダー１１１及び下側弾性支持部材１３２の下方斜視図である。図４、図５に示すように、レンズ駆動装置１は、カバー１２２、上側弾性支持部材１３１、ＡＦ用マグネット部１２３、レンズホルダー１１１、ＡＦ用コイル部１１２、下側弾性支持部材１３２、及びベース部材１２１等を備える。
【００２０】
本実施の形態では、レンズホルダー１１１及びＡＦ用コイル部１１２がＡＦ可動部１１を構成する。ベース部材１２１、カバー１２２、及びＡＦ用マグネット部１２３がＡＦ固定部１２を構成する。上側弾性支持部材１３１及び下側弾性支持部材１３２が弾性支持部１３を構成する。
【００２１】
レンズホルダー１１１は、ＡＦ用コイル部１１２が巻線される胴部１１１ａと、胴部１１１ａよりも径方向外側に突出する下側フランジ部１１１ｂとを有する。胴部１１１ａ及び下側フランジ部１１１ｂは、平面視において、正方形を面取りした形状、すなわち短辺と長辺が交互に連続する八角形状を有する。４つの長辺部分はそれぞれＸ方向又はＹ方向に平行であり、短辺部分はＸ方向及びＹ方向と４５°の角度で交差する。
【００２２】
レンズホルダー１１１は、胴部１１１ａから下側フランジ部１１１ｂにわたって貫通する円柱状のレンズ収容部１１１ｃを有する。このレンズ収容部１１１ｃに、レンズ部２（図２参照）が接着又は螺合により固定される。レンズ収容部１１１ｃの上部周縁１１１ｄは、周囲の面よりも上方に突出して形成される。この部分に上側弾性支持部材１３１が固定される（以下「上バネ固定部１１１ｄ」と称する）。レンズ収容部１１１ｃの下部周縁の一部１１１ｅ（図５、図６参照）は、周囲の面よりも下方に突出して形成される。この円弧状に突出する部分に下側弾性支持部材１３２が固定される（以下「下バネ固定部１１１ｅ」と称する）。
【００２３】
レンズホルダー１１１は、ＡＦ用コイル部１１２の端部を絡げるための絡げ部１１１ｆを有する。絡げ部１１１ｆは、下側フランジ部１１１ｂの対向する二辺に形成された切欠部１１１ｇの長さ方向中央に、径方向外側に突出するように設けられる。絡げ部１１１ｆを高さ方向ではなく径方向に形成することにより、レンズ駆動装置１の低背化を図ることができる。
【００２４】
ＡＦ用コイル部１１２は、ピント合わせ時に通電される空芯コイルであり、レンズホルダー１１１の胴部１１１ａの外周面に巻線される。ＡＦ用コイル部１１２の端部は、レンズホルダー１１１の絡げ部１１１ｆに絡げられ、下側弾性支持部材１３２（下側板バネ１３２Ａ、１３２Ｂ）と電気的に接続される。
【００２５】
カバー１２２は、レンズホルダー１１１と同様に、平面視において、正方形を面取りした形状、すなわち短辺と長辺が交互に連続する八角形状を有する有蓋角筒体である。カバー１２２は、上面に円形の開口１２２ａを有する。この開口１２２ａからレンズ部２が外部に臨む。カバー１２２の面取りされた四隅部分（短辺部分）の内面１２２ｂには、マグネット部１２３が例えば接着により固定される（以下「マグネット収容部１２２ｂ」と称する）。カバー１２２は磁性材料で形成され、ヨークとして機能する。カバー１２２は、ベース部材１２１に載置され、例えば接着により固定される。
【００２６】
ベース部材１２１は、平面視で正方形状の部材であり、中央に開口１２１ａを有する。カメラモジュールＡにおいて、ベース部材１２１の光軸方向結像側には、撮像素子（図示略）を有するイメージセンサー基板（撮像部、図示略）が配置される。撮像素子（図示略）は、例えばＣＣＤ（chargecoupled device）型イメージセンサー、ＣＭＯＳ（complementary metal oxide semiconductor）型イメージセンサー等により構成され、レンズ部２により結像された被写体像を撮像する。
【００２７】
ベース部材１２１は、カバー１２２のマグネット収容部１２２ｂに対応する位置に、下バネ固定部１２１ｂを有する。下バネ固定部１２１ｂは、周囲の面から上方に突出して形成される。下バネ固定部１２１ｂの外側部分を含むベース部材１２１の周縁部１２１ｃは、カバー１２２の下部に沿う凹凸形状を有する（以下「カバー取付部１２１ｃ」と称する）。カバー１２２は、下バネ固定部１２１ｂの外縁によって位置決めされた状態でカバー取付部１２１ｃに載置され、例えば接着により固定される。
【００２８】
ベース部材１２１には、インサート成形により、端子金具１２１ｄ、１２１ｅ等が埋め込まれる。端子金具１２１ｄ、１２１ｅは、一端部がベース部材１２１の下バネ固定部１２１ｂから露出し、他端部はベース部材１２１の下部から露出する。端子金具１２１ｄ、１２１ｅの一端部は、それぞれ下側板バネ１３２Ａ、１３２Ｂと電気的に接続され、他端部は、イメージセンサー基板（図示略）の電源ライン（図示略）と電気的に接続される。
【００２９】
マグネット部１２３は、４つの等脚台形柱状の永久磁石１２３Ａ〜１２３Ｄで構成される。永久磁石１２３Ａ〜１２３Ｄは、それぞれカバー１２２のマグネット収容部１２２ｂに沿う外形を有する。永久磁石１２２Ａ〜１２２Ｄは、ＡＦ用コイル部１１２に径方向に横切る磁界が形成されるように着磁される。例えば、永久磁石１２３Ａ〜１２３Ｄは、内周側がＮ極、外周側がＳ極に着磁される。マグネット部１２３及びＡＦ用コイル部１１２によって、ＡＦ用ボイスコイルモーターが構成される。マグネット部１２３の上面には、上側弾性支持部材１３１が固定される。マグネット部１２３の下面は、ベース部材１２１の下バネ固定部１２１ｂと対向する。
【００３０】
上側弾性支持部材１３１は、例えばベリリウム銅、ニッケル銅、ステンレス等からなる板バネである。上側弾性支持部材１３１は、ＡＦ固定部１２（マグネット部１２３）に対してＡＦ可動部１１（レンズホルダー１１１）を弾性支持する。上側弾性支持部材１３１は、マグネット部１２３をカバー１２２に取り付けたときに、マグネット部１２３とカバー１２２とで挟持される。
【００３１】
ここでは、上側弾性支持部材１３１は、Ｚ軸に関して点対称に配置される２つの上側板バネ１３１Ａ、１３１Ｂで構成される。上側板バネ１３１Ａ、１３１Ｂは、例えば、一枚の板金を打ち抜いて成形される。上側板バネ１３１Ａ、１３１Ｂは、例えばレンズホルダー１１１及びマグネット部１２３への取付段階では連結されており、レンズホルダー１１１及びマグネット部１２３に固定された後、不要部分を切断して分断される。上側板バネ１３１Ａ、１３１Ｂは同様の構成を有するので、上側板バネ１３１Ｂについての説明は省略する。
【００３２】
上側板バネ１３１Ａは、レンズホルダー固定部１３１ａ、１３１ｂ、マグネット固定部１３１ｃ、１３１ｄ、及びアーム部１３１ｅ、１３１ｆを有する。レンズホルダー固定部１３１ａ、１３１ｂは、レンズホルダー１１１の上バネ固定部１１１ｄに沿う円弧状の連結部１３１ｇで連結される。
【００３３】
アーム部１３１ｅ、１３１ｆは、それぞれレンズホルダー固定部１３１ａとマグネット固定部１３１ｃ、レンズホルダー固定部１３１ｂとマグネット固定部１３１ｄを連結する。アーム部１３１ｅ、１３１ｆは、つづら折り形状を有し、ＡＦ可動部１１が移動するときに弾性変形する。
【００３４】
上側板バネ１３１Ａは、レンズホルダー固定部１３１ａ、１３１ｂの固定穴が、レンズホルダー１１１の位置決めボス１１１ｈに挿嵌されることにより、レンズホルダー１１１に対して位置決めされ、位置決めボス１１１ｈに接着剤塗布又は位置決めボス１１１ｈを熱かしめすることで固定される。
【００３５】
上側板バネ１３１Ａは、マグネット固定部１３１ｃ、１３１ｄの固定穴が、永久磁石１２３Ａ、１２３Ｂの上面に形成された位置決めボス（図示略）に挿嵌されることにより、永久磁石１２３Ａ、１２３Ｂに対して位置決めされ、位置決めボス（図示略）に接着剤塗布することで固定される。ＡＦ可動部１１が光軸方向に移動するとき、レンズホルダー固定部１３１ａ、１３１ｂは、ＡＦ可動部１１とともに変位する。
【００３６】
下側弾性支持部材１３２は、上側弾性支持部材１３１とほぼ同様の構成を有する。すなわち、下側弾性支持部材１３２は、例えばベリリウム銅、ニッケル銅、ステンレス等からなる板バネである。下側弾性支持部材１３２は、ＡＦ固定部１２（ベース部材１２１）に対してＡＦ可動部１１（レンズホルダー１１１）を弾性支持する。
【００３７】
ここでは、下側弾性支持部材１３２は、Ｚ軸に関して点対称に配置される２つの下側板バネ１３２Ａ、１３２Ｂで構成される。下側板バネ１３２Ａ、１３２Ｂは、例えば、一枚の板金を打ち抜いて成形される。下側板バネ１３２Ａ、１３２Ｂは、例えばレンズホルダー１１１及びベース部材１２１への取付段階では連結され、レンズホルダー１１１及びベース部材１２１に固定された後、不要部分を切断して分断される。下側板バネ１３２Ａ、１３２Ｂは同様の構成を有するので、下側板バネ１３２Ｂについての説明は省略する。
【００３８】
下側板バネ１３２Ａは、レンズホルダー固定部１３２ａ、１３２ｂ、ベース固定部１３２ｃ、１３２ｄ、及びアーム部１３２ｅ、１３２ｆを有する。レンズホルダー固定部１３２ａ、１３２ｂは、レンズホルダー１１１の下バネ固定部１１１ｅ（図５、図６参照）に沿う円弧状の連結部１３２ｇで連結される。また、下側板バネ１３２Ａは、連結部１３２ｇに沿って形成されたはんだ付け部１３２ｈ及び補助固定部１３２ｊ（２箇所）を有する。
【００３９】
下側板バネ１３２Ａは、レンズホルダー固定部１３２ａ、１３２ｂの固定穴がレンズホルダー１１１の位置決めボス１１１ｊに挿嵌されるとともに、補助固定部１３２ｊの固定穴がレンズホルダー１１１の位置決めボス１１１ｋに挿嵌されることにより、レンズホルダー１１１に対して位置決めされ、位置決めボス１１１ｊ、１１１ｋに接着剤塗布又は位置決めボス１１１ｊ、１１１ｋを熱かしめすることで固定される。
【００４０】
下側板バネ１３２Ａのはんだ付け部１３２ｈは、レンズホルダー１１１の絡げ部１１１ｆの基端側に位置し、絡げ部１１１ｆに絡げられたＡＦ用コイル部１１２とはんだ付けにより電気的に接続される。下側板バネ１３２Ａ、１３２Ｂを介して、ＡＦ用コイル部１１２への給電が行われる。
【００４１】
絡げ部１１１ｆとＡＦ用コイル部１１２とをはんだ付けする際、はんだごてのこて先を、レンズホルダー１１１の絡げ部１１１ｆに局所的に押し当てるのではなく、レンズホルダー１１１の本体側からＡＦ用コイル部１１２と下側板バネ１３２Ａのはんだ付け部１３２ｈとの境界部に押し当てることができるため、レンズホルダー１１１への熱によるダメージは格段に軽減される。そのため、レンズホルダー１１１には、耐熱性の比較的低い材料を適用することもできる。
【００４２】
下側板バネ１３２Ａは、ベース固定部１３２ｃ、１３２ｄの固定穴が、ベース部材１２１の位置決めボス１２１ｆに挿嵌されることにより、ベース部材１２１に対して位置決めされ、位置決めボス１２１ｆに接着剤塗布又は位置決めボス１２１ｆを熱かしめすることで固定される。ＡＦ可動部１１が光軸方向に移動するとき、レンズホルダー固定部１３２ａ、１３２ｂは、ＡＦ可動部１１とともに変位する。
【００４３】
レンズ駆動装置１において自動ピント合わせを行う場合には、ＡＦ用コイル部１１２に通電が行われる。ＡＦ用コイル部１１２に通電すると、マグネット部１２３の磁界とＡＦ用コイル部１１２に流れる電流との相互作用により、ＡＦ用コイル部１１２にローレンツ力が生じる。ローレンツ力の方向は、マグネット部１２３による磁界の方向とＡＦ用コイル部１１２に流れる電流の方向に直交する方向（Ｚ方向）である。マグネット部１２３は固定されているので、ＡＦ用コイル部１１２に反力が働く。この反力がＡＦ用ボイスコイルモーターの駆動力となり、ＡＦ用コイル部１１２を有するＡＦ可動部１１が光軸方向に移動し、ピント合わせが行われる。
【００４４】
図６は、レンズホルダー１１１の下面図である。図６に示すように、レンズホルダー１１１の絡げ部１１１ｆは、下側フランジ部１１１ｂの対向する二辺に形成された切欠部１１１ｇの長さ方向中央に設けられる。絡げ部１１１ｆは、切欠部１１１ｇを基端として径方向外側に突出するが、その先端はレンズホルダー１１１のホルダー外周Ｐ（図６の一点鎖線）よりも内側に位置する。ホルダー外周Ｐは、切欠部１１１ｇがない場合の平面視におけるレンズホルダー１１１の外形で規定される。
【００４５】
絡げ部１１１ｆはレンズホルダー１１１の配置スペース内に収まるので、絡げ部１１１ｆの配置スペースを考慮して設計する必要はなく、設計の自由度が向上する。また、従来のように、絡げ部がホルダー外周よりも径方向外側に突出する場合に比較して、省スペース化を図ることができる。さらには、落下等の外部衝撃が直接絡げ部１１１ｆに加わらないので、外部衝撃による絡げ部１１１ｆの破損を防止することができる。
【００４６】
図７は、絡げ部１１１ｆの断面形状の一例を示す図である。絡げ部１１１ｆのＡＦ用コイル部１１２を巻線する部分の径方向に沿う断面形状は、図７Ａに示すようにフラットな直胴形状であってもよいし、図７Ｂに示すように先端側から基端側に向けて縮径するテーパー形状であってもよいし、図７Ｃに示すように先端側から中央に向けて縮径し、中央から基端側に向けて拡径するすり鉢形状であってもよい。図７Ｂに示すテーパー形状又は図７Ｃに示すすり鉢形状の場合、はんだＳが巻線部分に入り込みやすいので、図７Ａに示す形状に比較してＡＦ用コイル部１１２の位置精度を高めることができる。
【００４７】
このように、レンズ駆動装置１は、レンズ部２の周囲に配置されるＡＦ用コイル部１１２と、ＡＦ用コイル部１１２に対して径方向に離間して配置されるＡＦ用マグネット部１２３とを備え、ＡＦ用コイル部１１２とＡＦ用マグネット部１２３とで構成されるボイスコイルモーターの駆動力を利用して、ＡＦ用マグネット部１２３を含むＡＦ固定部１２に対してＡＦ用コイル部１１２を含むＡＦ可動部１１を光軸方向に移動させることにより自動的にピント合わせを行う。ＡＦ可動部１１は、ＡＦ用コイル部１１２を保持するレンズホルダー１１１を有する。レンズホルダー１１１は、ホルダー外周Ｐから径方向内側に凹む切欠部１１１ｇと、切欠部１１１ｇから径方向外側に突出しＡＦ用コイル部１１２の端部を絡げる絡げ部１１１ｆを有する。絡げ部１１１ｆの先端は、ホルダー外周Ｐよりも径方向内側に位置する。
【００４８】
レンズ駆動装置１によれば、ＡＦ用コイル部１１２の端部が接続される絡げ部１１１ｆが、レンズホルダー１１１のホルダー外周Ｐよりも径方向外側に突出しないので、省スペース化を図ることができるとともに、落下等の外部衝撃に対する耐衝撃性が向上する。
【００４９】
以上、本発明者によってなされた発明を実施の形態に基づいて具体的に説明したが、本発明は上記実施の形態に限定されるものではなく、その要旨を逸脱しない範囲で変更可能である。
【００５０】
例えば、レンズホルダー１１１の外形は、八角形以外の多角形であってもよいし、円形であってもよい。レンズホルダー１１１の外形が円形の場合も、周面に沿って切欠部を形成し、ホルダー外周から突出しないように絡げ部を配置することができる。
【００５１】
また例えば、絡げ部１１１ｆをレンズホルダー１１１の光軸方向受光側の部位に配置し、上側弾性支持部材１３１とＡＦ用コイル部１１２とを電気的に接続して、上側弾性支持部材１３１を介して給電が行われるようにしてもよい。
【００５２】
本発明は、ＡＦ機能とともに、撮影時に生じる手振れ（振動）を光学的に補正して画像の乱れを軽減する振れ補正機能（いわゆるＯＩＳ機能、ＯＩＳ：Optical Image Stabilization）を備えたレンズ駆動装置に適用することもできる。
【００５３】
実施の形態では、カメラモジュールＡを備えるカメラ搭載装置の一例として、カメラ付き携帯端末であるスマートフォンを挙げて説明したが、本発明は、情報機器または輸送機器であるカメラ搭載装置に適用できる。情報機器であるカメラ搭載装置とは、カメラモジュールとカメラモジュールで得られた画像情報を処理する制御部を有する情報機器であり、例えばカメラ付き携帯電話機、ノート型パソコン、タブレット端末、携帯型ゲーム機、ｗｅｂカメラ、カメラ付き車載装置（例えば、バックモニター装置、ドライブレコーダー装置）を含む。また、輸送機器であるカメラ搭載装置とは、カメラモジュールとカメラモジュールで得られた画像を処理する制御部を有する輸送機器であり、例えば自動車を含む。
【００５４】
図８は、車載用カメラモジュールＶＣ（Vehicle Camera）を搭載するカメラ搭載装置としての自動車Ｃを示す図である。図８Ａは自動車Ｃの正面図であり、図８Ｂは自動車Ｃの後方斜視図である。自動車Ｃは、車載用カメラモジュールＶＣとして、実施の形態で説明したカメラモジュールＡを搭載する。図８に示すように、車載用カメラモジュールＶＣは、例えば前方に向けてフロントガラスに取り付けられたり、後方に向けてリアゲートに取り付けられたりする。この車載用カメラモジュールＶＣは、バックモニター用、ドライブレコーダー用、衝突回避制御用、自動運転制御用等として使用される。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１  レンズ駆動装置
２  レンズ部
１１  ＡＦ可動部
１１１  レンズホルダー
１１２  ＡＦ用コイル部
１２  ＡＦ固定部
１２１  ベース部材
１２２  カバー
１２３  マグネット部
１２３Ａ〜１２３Ｄ  永久磁石
１３  弾性支持部
１３１  上側弾性支持部材
１３１Ａ、１３１Ｂ  上側板バネ
１３２  下側弾性支持部材
１３２Ａ、１３２Ｂ  下側板バネ
Ｍ  スマートフォン（カメラ搭載装置）
Ａ  カメラモジュール
【図１】
0006476981.tif 000002
【図２】
0006476981.tif 000003
【図３】
0006476981.tif 000004
【図４】
0006476981.tif 000005
【図５】
0006476981.tif 000006
【図６】
0006476981.tif 000007
【図７】
0006476981.tif 000008
【図８】
0006476981.tif 000009